【事件の表示】
　特願２００９−１５４１９３「ファクシミリ受信機能を有するサーバ装置、ファクシミリ送受信システム及びファクシミリ送受信方法」拒絶査定不服審判事件〔平成２３年　１月１３日出願公開、特開２０１１−　１０２３４〕について、次のとおり審決する。
【結　論】
　本件審判の請求は、成り立たない。
【理　由】
第１　手続の経緯及び本願発明
１　手続の経緯
　本件出願は、平成２１年６月２９日の出願であって、平成２５年４月３０日付けで拒絶理由の通知がなされ、これに対し、平成２５年６月２７日付けで手続補正がなされたが、平成２５年１２月２日付け（発送日同年１２月４日）で拒絶査定がなされた。
　本件は、上記拒絶査定を不服として平成２６年３月３日に請求された拒絶査定不服審判であって、請求と同時に手続補正がなされ、当審において平成２７年１月９日付けで拒絶理由の通知がなされ、これに対し、平成２７年３月１６日付けで手続補正がなされた。
　　
２　当審の拒絶理由の概要
　本件出願の請求項１〜３に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。
　　
　　　　　　　　　　　　　　　　　記
　　刊行物１：特開２００８−４１０４４号公報
　　刊行物２：特開平６−３５０７６３号公報
　　刊行物３：特開２００８−８０６５２号公報
 　 
３　本願発明
　本願の請求項１に係る発明（以下「本願発明」という。）は、平成２７年３月１６日付けで補正された特許請求の範囲の請求項１に記載された事項によって特定されるものであり、次のとおりのものと認められる。
 　 
（Ａ）ファクシミリ装置から送信されてきた画像データを受信し、
（Ｂ）前記画像データを記憶部に保存し、
（Ｃ）前記画像データに対してクライアント装置からログイン要求及び閲覧要求を受信し、前記ログイン要求及び閲覧要求を受信した結果、前記クライアント装置を使用するユーザが閲覧する権限を有する場合には、前記記憶部に記憶された画像データを読込んだ後に、前記画像データの送信元の前記ファクシミリ装置に対して、前記ログイン要求で用いた前記ユーザを識別するユーザ識別情報を含む受信完了通知を送信し、
（Ｄ）前記受信完了通知を送信すると共に、読込んだ画像データの内容を、前記クライアント装置を使用するユーザに閲覧させること、
（Ｅ）を特徴とするファクシミリ受信機能を有するサーバ装置。
　　
（（Ａ）〜（Ｅ）は、当審で付与した。以下各構成要件を「構成要件Ａ」等という。）
　　
第２　刊行物１の記載及び刊行物1に記載された発明 
１　刊行物１の記載
　当審の拒絶理由に引用された刊行物１（特開２００８−４１０４４号公報）には、図面と共に次に掲げる事項が記載されている。（下線は当審が付与した。）
　　
「【技術分野】
　【０００１】
　本発明は、機密印刷装置及び機密印刷システムに関する。」
　　
「【発明が解決しようとする課題】
　【０００４】
　しかし、上記従来の構成では、印刷データの送信者は、機密印刷（親展印刷）が完了した旨しか知ることができなかった。このため、画像印刷装置で記憶（保持）している機密印刷データのアクセスに関する情報を知る要請がある。
　【０００５】
　また、上記特許文献２の構成では、機密印刷を行う場合に、機密印刷の完了通知が自動的にメール送信される構成であるため、印刷データの送信者が機密印刷の完了通知の存在を知らない場合、画像印刷装置で機密印刷データが未印刷で記憶されている状態では、機密印刷データの状態を知ることができなかった。
　【０００６】
　本発明の課題は、記憶される機密印刷データへのアクセスに関する情報を差出人へ容易に通知することである。」
　　
「【００７３】
　そして、認証部１６によりログインユーザの指静脈の認証が成功か否か（認証されるか否か）が判別される（ステップＳ２６）。具体的には、ログインユーザの指静脈の特徴点と、ステップＳ２１でログイン認証成功したユーザに対応する、予め登録された指静脈の特徴点とが比較され、一致する場合に指静脈認証が成功するものとする。指静脈認証が成功した場合（ステップＳ２６；ＹＥＳ）、
選択された機密印刷データに対して指定したアクセスが開始又は継続される
印刷する場合には、機密印刷データが印刷部１９により印刷され、表示する場合には、機密印刷データが表示部１４により表示される
　　
「【００７９】
　
アクセス確認メール
図９に示すアクセス確認メールＭである
　　
「【００８４】
　（第２の実施の形態）
　図１０〜図１５を参照して、本発明に係る第２の実施の形態を説明する。先ず、図１０〜図１２を参照して、本実施の形態の装置構成を説明する。図１０に、本実施の形態の機密印刷システム２００の構成を示す。図１１に、プリントサーバ３０の内部構成を示す。図１２に、認証サーバ４０の内部構成を示す。
　【００８５】
　図１０を参照して、機密印刷システム２００の構成を説明する。図１０に示すように、
機密印刷システム２００は、ＭＦＰ１０Ａ，１０Ｂと、ＰＣ２０Ａ，２０Ｂと、プリントサーバ３０と、認証サーバ４０と、を備えて構成され、各装置が通信ネットワークＮにより接続される
　【００８６】
　ＭＦＰ１０Ａ，１０Ｂ、ＰＣ２０Ａ，２０Ｂ、通信ネットワークＮは、上記第１の実施の形態の機密印刷システム１００と同様である。このため、ＭＦＰ１０Ａ，１０Ｂ、ＰＣ２０Ａ，２０Ｂ、通信ネットワークＮは、上記第１の実施の形態と異なる部分を主として説明する。
　【００８７】
　
プリントサーバ３０は
　【００８８】
　制御部３１は、通知部３１ａを有する。制御部３１は、後述する第２の印刷ジョブ受信プログラムに基づいて、受信した印刷ジョブデータを印刷先（例えば、ＭＦＰ１０Ａ）に印刷させ、
受信した機密印刷データを記憶部３３に記憶する
記憶部３３に記憶された機密印刷データへのアクセスに応じて
アクセス確認メールを作成する
アクセス確認メールを差出人
に送信する
ＭＦＰ１０Ａ
からの要求に基づいて、記憶部３３に記憶された
機密印刷データを要求元に送信する
　【００８９】
　
記憶部３３は
機密印刷データを格納するための機密ＢＯＸを有する
記憶部３３は、機密印刷データに対応付けて、そのアクセス履歴情報を記憶する
　【００９０】
　
認証サーバ４０は
　【００９１】
　本実施の形態において、制御部４１は、ログイン端末としての
ＭＦＰ１０Ａ
ユーザＩＤ及びパスワードを有する認証要求に基づいてログイン認証を行い
そのログイン認証の成功か否かを示す情報を要求元に送信する
　【００９２】
　記憶部４３は、ＨＤＤ等により構成され、ユーザＩＤ、パスワード、ユーザ情報をデータベースとして登録可能に記憶する。
　【００９３】
　
ＰＣ２０Ａ
機密印刷の受取人、アクセス確認メールの要否を設定して、機密印刷ジョブデータを印刷先
ＭＦＰ１０Ａ
に送信する
　【００９４】
　
ＭＦＰ１０Ａ
受取人を認証し、認証された受取人による記憶部１３に記憶された機密印刷データへのアクセスを受け付け、そのアクセスに応じて、アクセス履歴情報を生成してプリントサーバ３０に送信する
　【００９５】
　次に、図１３〜図１６を参照して、機密印刷システム２００の動作を説明する。先ず、ＰＣ２０Ａ，２０Ｂにおける動作を説明する。ＰＣ２０Ａの動作を代表して説明するが、ＰＣ２０Ｂの動作も同様である。
　【００９６】
　図１３を参照して、ＰＣ２０Ａにおいて実行される第２の機密印刷ジョブ投入処理を説明する。図１３に、ＰＣ２０Ａにおいて実行される第２の機密印刷ジョブ投入処理の流れを示す。
　【００９７】
　
第２の機密印刷ジョブ投入処理は、機密印刷ジョブデータをプリントサーバ３０に送信する処理である
　【００９８】
　先ず、操作部１２によりユーザからのユーザＩＤ、パスワードの入力を受け付け、そのユーザＩＤ、パスワードに基づいてログイン認証が行われ、ログインが成功したか否かが判別される（ステップＳ４１）。具体的には、入力されたユーザＩＤ、パスワードが通信部２５、通信ネットワークＮを介して認証サーバ４０に送信される。認証サーバ４０は、受信したユーザＩＤ、パスワードを用いてログイン認証し、ログイン認証結果情報をＰＣ２０Ａに送信する。ＰＣ２０Ａにおいて、受信した認証結果情報に基づいて、ログインが成功したか否かが判別される。
　【００９９】
　ログイン認証が失敗した場合（ステップＳ４１；ＮＯ）、ステップＳ４１に移行される。ログイン認証が成功した場合（ステップＳ４１；ＹＥＳ）、ステップＳ４２が実行される。ステップＳ４２は、第１の機密印刷ジョブ投入処理のステップＳ１と同様である。そして、認証サーバ４０に登録されているユーザ情報が、通信ネットワークＮ及び通信部２５を介して受信されて取得される（ステップＳ４３）。ユーザ情報とは、登録ユーザＩＤの一覧である。
　【０１００】
　そして、ステップＳ４３で取得したユーザ情報を用いて、機密印刷設定画面が表示部２４に表示される（ステップＳ４４）。機密印刷設定画面において、ユーザ情報から、受取人のユーザＩＤの候補が取得されて、その一覧が含められる。その他は、第１の機密印刷ジョブ投入処理のステップＳ２と同様である。
　【０１０１】
　そして、機密印刷設定画面に基づく差出人からの機密印刷設定情報の入力が操作部２２を介して受け付けられる（ステップＳ４５）。このとき、差出人は、候補のユーザＩＤの一覧から受取人を容易に選択入力できる。また、受取人のパスワードは、認証サーバ４０で管理しているパスワードとし、ここでの設定は行わないものとするが、機密印刷ジョブ単位で新たにパスワードを設定できる構成としてもよい。その他は、第１の機密印刷ジョブ投入処理のステップＳ３と同様である。ステップＳ４６は、第１の機密印刷ジョブ投入処理のステップＳ４と同様である。
　【０１０２】
　機密印刷設定情報の入力が終了した場合（ステップＳ４６；ＹＥＳ）、機密印刷データ、一般印刷設定情報、機密印刷設定情報が機密印刷ジョブデータとして通信部２５、通信ネットワークＮを介してプリントサーバ３０に送信され（ステップＳ４７）、第２の機密印刷ジョブ投入処理が終了する。
　【０１０３】
　次いで、
プリントサーバ３０の動作を説明する
　【０１０４】
　第２の印刷ジョブ受信処理は、通常の印刷ジョブデータの受信及び印刷と、
機密印刷ジョブデータの受信、記憶及び機密印刷設定と、を行う処理である
印刷ジョブデータが送信元（例えば、ＰＣ２０Ａとする）から受信開始されたことをトリガとして
　【０１０５】
　先ず、印刷ジョブデータを受信完了したか否かが判別される（ステップＳ５１）。印刷ジョブデータを受信完了していない場合（ステップＳ５１；ＮＯ）、ステップＳ５１に移行される。印刷ジョブデータを受信完了した場合（ステップＳ５１；ＹＥＳ）、
受信した印刷ジョブデータが機密印刷ジョブか否かが判別される
　【０１０６】
　機密印刷ジョブである場合（ステップＳ５２；ＹＥＳ）、
機密印刷ジョブデータの機密印刷データがラスタライズされ、記憶部３３の機密ＢＯＸに格納される
　【０１０７】
　そして、機密印刷ジョブデータの印刷設定情報に基づいて、機密印刷の各種設定が実行（記憶）され（ステップＳ５４）、第２の印刷ジョブ受信処理が終了する。機密印刷ジョブでない場合（ステップＳ５２；ＮＯ）、通信部３５及び通信ネットワークＮを介して、受信した印刷ジョブデータが印刷先（例えば、ＭＦＰ１０Ａ）に送信されて印刷され（ステップＳ５５）、第２の印刷ジョブ受信処理が終了する。ステップＳ５５が実行されると、例えば、ＭＦＰ１０Ａにおいては、印刷ジョブデータが受信され印刷部１９において印刷される。
　【０１０８】
　次いで、図１５を参照して、
ＭＦＰ１０Ａにおいて実行される第２の機密印刷データアクセス処理を説明する
　【０１０９】
　第２の機密印刷データアクセス処理は、ログインしたユーザに応じて、記憶部１３に記憶された機密印刷データに各種アクセスを行う処理である。例えば、操作部１２を介してユーザからログイン印刷処理の実行開始が入力されたことをトリガとして、制御部１１において、ＲＯＭから読み出されてＲＡＭに展開された第２の機密印刷データアクセスプログラムとＣＰＵとの協働で第２の機密印刷データアクセス処理が実行される。
　【０１１０】
　先ず、
操作部１２によりユーザからのユーザＩＤ、パスワードの入力を受け付け、そのユーザＩＤ、パスワードに基づいてログイン認証が行われ、ログインが成功したか否かが判別される
入力されたユーザＩＤ、パスワードが通信部１８、通信ネットワークＮを介して認証サーバ４０に送信される
認証サーバ４０は、受信したユーザＩＤ、パスワードを用いてログイン認証し、ログイン認証結果情報をＭＦＰ１０Ａに送信する
　【０１１１】
　そして、
プリントサーバ３０が記憶する、ログインユーザに対応する印刷ジョブデータの情報が
プリントサーバ３０に要求され、その情報が受信されて取得される
記憶部３３に記憶されているログインユーザに対応する印刷ジョブデータの情報がＭＦＰ１０Ａに送信される
　【０１１２】
　そして、ステップＳ６２で取得したログインユーザに対応する印刷ジョブデータの情報が参照され、
ログインユーザの機密印刷データがプリントサーバ３０の機密ＢＯＸに格納されているか否かが判別される
ログインユーザに対応する印刷ジョブデータの情報から機密印刷確認画面が生成されて表示部１４に表示され、操作部１２によりユーザからの機密印刷データの選択確認入力が受け付けられる
その機密印刷確認画面に応じて、印刷する機密印刷データのデータ名が選択され、印刷、表示等のアクセスの種類が入力された後、ＯＫボタン押下で選択が確定される
　【０１１３】
　ステップＳ６５は、第１の機密印刷データアクセス処理のステップＳ２４と同様である。アクセスが指示された場合（ステップＳ６５；ＹＥＳ）、選択された機密印刷データが、通信部１８及び通信ネットワークＮを介して
プリントサーバ３０に要求され、その機密印刷データがプリントサーバ３０から受信されて記憶部１３に記憶される
プリントサーバ３０において、機密印刷データの情報の要求の受信に応じて、記憶部３３に記憶されている機密印刷データがＭＦＰ１０Ａに送信される
　【０１１４】
　ステップＳ６７〜Ｓ７０は、第１の機密印刷データアクセス処理のステップＳ２５〜Ｓ２８と同様である。指静脈認証に用いる指静脈データの特徴点の情報は、ＭＦＰ１０Ａに予め登録しておく構成としてもよく、認証サーバ４０で特徴点の情報を記憶及び管理し、要求があれば要求元に送信する構成としてもよい。
　【０１１５】
　そして、
アクセスが終了した場合
アクセスした機密印刷データに対するアクセス履歴情報が、ログインユーザのアクセス実行結果に応じて更新される
　【０１１６】
　機密印刷データがない場合（ステップＳ６３；ＮＯ）、又は機密印刷データへのアクセスが指示されていない場合（ステップＳ６５；ＮＯ）、通常印刷、複写等の通常の処理が実行され（ステップＳ７４）、ステップＳ７３に移行される。
　【０１１７】
　ログオフした場合（ステップＳ７３；ＹＥＳ）、通信部１８及び通信ネットワークＮを介して
アクセス履歴情報がプリントサーバ３０に送信され
第２の機密印刷データアクセス処理が終了する
　【０１１８】
　次いで、図１６を参照して、
プリントサーバ３０において実行されるアクセス確認メール送信処理を説明する
　【０１１９】
　アクセス確認メール送信処理は、
アクセス履歴情報に基づいてアクセス確認メールを生成して差出人（
に送信する処理である
　【０１２０】
　先ず、受信したアクセス履歴情報に基づいて、記憶部３３に記憶されているアクセス履歴情報が更新され、アクセス履歴情報に基づいて、アクセス実行された機密印刷データについて、送信元により指定されている全ての受取人が印刷を実行したか否かが判別される（ステップＳ８１）。
　【０１２１】
　全ての受取人が印刷を実行した場合（ステップＳ８１；ＹＥＳ）、全ての受取人が印刷を実行した機密印刷データが記憶部３３から消去される（ステップＳ３２）。このとき、機密印刷データ消去の旨が記憶部１３のアクセス履歴情報に追加される。そして、この機密印刷データの機密設定情報にアクセス確認指示が設定されているか否かが判別される（ステップＳ８３）。全ての受取人が印刷を実行していない場合（ステップＳ８１；ＮＯ）、ステップＳ８３に移行される。
　【０１２２】
　
アクセス確認指示がある場合
アクセス履歴情報等に基づいて、機密印刷データのアクセス確認メールが生成され
送信元の人物
の端末
ＰＣ２０Ａ
に送信され
アクセス確認メール送信処理が終了する
　【０１２３】
　以上、本実施の形態によれば、ＰＣ２０Ａ，２０Ｂにおいて、差出人が機密印刷設定画面により、プリントサーバ３０に記憶される機密印刷データへのアクセスに関する情報（アクセス確認メール）の通知を容易に設定できる。また、プリントサーバ３０に記憶されている機密印刷データへのアクセスに関する情報を差出人へ容易に通知できる。
　【０１２４】
　また、受取人が複数の場合は、プリントサーバ３０に記憶される機密印刷データへのアクセスに関する情報を受取人毎に差出人へ容易に通知できる。
　【０１２５】
　また、アクセス中の認証部１６によるログインした受取人の繰り返し認証により、機密印刷データの漏洩を防止し、アクセス中の機密印刷データのセキュリティを向上できる。
　【０１２６】
　また、全ての受取人の印刷終了により、プリントサーバ３０において、記憶部３３に記憶された機密印刷データを消去し、その旨をアクセス確認メールに含めて送信するので、不要な機密印刷データを消去し機密印刷データのセキュリティを向上できるとともに、全ての受取人の印刷終了を差出人へ通知できる。
　【０１２７】
　なお、本実施の形態では、アクセス確認メールの生成及び送信をプリントサーバ３０が行う構成としたが、これに限定されるものではない。例えば、ＭＦＰ１０Ａ、１０Ｂがアクセス確認メールの生成及び送信を行う構成としてもよい。具体的には、ＭＦＰ１０Ａ、１０Ｂにおいて、アクセス後にアクセス履歴情報に基づいてアクセス確認メールが生成され差出人（例えば、ＰＣ２０Ａ）に送信される。」
　　
「【図９】
」
　　
２　刊行物１に記載された発明
　刊行物１の段落【００８４】〜【０１２７】には、第２の実施形態が記載されている。
　プリントサーバ３０は、『送信元（ＰＣ２０Ａ）から受信した機密印刷データを記憶部３３に記憶』する（段落【００８７】、【００８８】、【０１０４】〜【０１０７】）。
　ＭＦＰ１０Ａにおいて、ユーザは、ユーザＩＤ、パスワードを入力し、このユーザＩＤ、パスワードを認証サーバに送信し、認証サーバはログイン認証し、結果をＭＦＰ１０Ａに送信する（段落【０１１０】）。ログインユーザの機密印刷データがある場合、機密印刷確認画面が表示され、ユーザにより機密印刷データが選択され（段落【０１１２】）、選択された機密印刷データがプリントサーバ３０に要求され、その機密印刷データがプリントサーバ３０から受信されて記憶部１３に記憶される。プリントサーバ３０において、機密印刷データの情報の要求の受信に応じて、記憶部３３に記憶されている機密印刷データがＭＦＰ１０Ａに送信される（段落【０１１３】）。すなわち、『プリントサーバ３０と認証サーバはネットワークに接続され、認証サーバにより認証されたＭＦＰ１０Ａにおけるログインユーザが要求した、機密印刷データをＭＦＰ１０Ａに送信』する。
　機密印刷データアクセスが終了した場合（段落【０１１４】〜【０１１５】）、アクセスした機密印刷データに対するアクセス履歴情報が、ログインユーザのアクセス実行結果に応じて更新され（段落【０１１５】）、アクセス履歴情報がプリントサーバに送信される（段落【０１１７】）。すなわち、『ユーザが、機密印刷データにアクセス終了した場合、ＭＦＰ１０Ａ上のアクセス履歴が更新され、プリンタサーバ３０は該アクセス履歴を受信』する。
　プリントサーバ３０は、『アクセス履歴情報に基づいてアクセス確認メールを送信元（ＰＣ２０Ａ）に送信する』（段落【０１１９】、【０１２２】）。
　『アクセス確認メールには、ログインユーザの情報が含まれている』（図９）。
　　
　刊行物１の第２の実施形態におけるプリントサーバ３０を刊行物１に記載された発明として認定する。刊行物１に記載された発明（以下「刊行物１発明」という。）は、次のとおりのものと認められる。
　　
「送信元（ＰＣ２０Ａ）から受信した機密印刷データを記憶部３３に記憶し、
　プリントサーバ３０と認証サーバはネットワークに接続され、認証サーバにより認証されたＭＦＰ１０Ａにおけるログインユーザが要求した、機密印刷データをＭＦＰ１０Ａに送信し、
　ユーザが、機密印刷データにアクセス終了した場合、ＭＦＰ１０Ａ上のアクセス履歴が更新され、プリンタサーバ３０は該アクセス履歴を受信し、
　該アクセス履歴に情報に基づいて、アクセス確認メールを送信元（ＰＣ２０Ａ）に送信する、ここで、アクセス確認メールには、ログインユーザの情報が含まれる、
　ことを特徴とするプリントサーバ３０。」
　　
第３　対比
１　対比
　本願発明と刊行物１発明とを対比する。
　刊行物１発明における「ＰＣ２０Ａ」、「ＭＰＦ１０Ａ」、「プリントサーバ及び認証サーバ」、「機密印刷データ」は、それぞれ、本願発明における「ファクシミリ装置」、「クライアント装置」、「サーバ装置」、「画像データ」に対応する。
　刊行物１発明における「ＰＣ２０Ａ」は、「画像処理装置」である点で本願発明の「ファクシミリ装置」と共通するが、「ファクシミリ装置」でない点で本願発明と相違する。そして、この相違に伴い、本願発明の「サーバ装置」が「ファクシミリ機能を有する」のに対し、刊行物１発明においてはそうではない点で相違する。
　刊行物１発明における「ＭＰＦ１０Ａ」は、本願発明の「クライアント装置」に相当し、刊行物１発明における「画像データ」は、本願発明の「画像データ」相当する。
　刊行物１発明における「プリントサーバ及び認証サーバ」は、「サーバ装置」である点で本願発明の「サーバ装置」と共通するが、本願発明においては、「ログイン要求」を「サーバ装置」が受信するのに対し、刊行物１発明においては「認証サーバ」が受信する点で相違する。
　以上を踏まえて、本願発明の各構成要素と刊行物１発明を対比する。
　　
（１）構成要件Ａと刊行物１発明における「送信元（ＰＣ２０Ａ）から受信した機密印刷データを記憶部３３に記憶し、」とを対比する。
　刊行物１発明の「機密印刷データ」は、送信元（ＰＣ２０Ａ）から受信したものであるから、送信元（ＰＣ２０Ａ）から送信されたものといえる。
　したがって、本願発明と刊行物１発明とは、「画像処理装置から送信された画像データを受信」する点で共通する。
　しかしながら、「画像処理装置」が、本願発明においては「ファクシミリ装置」であるのに対し、刊行物１発明においてはそうではない点で相違する。
　　
（２）構成要件Ｂと刊行物１発明における「送信元（ＰＣ２０Ａ）から受信した機密印刷データを記憶部３３に記憶し、」とを対比する。
　刊行物１発明は、「画像データを記憶部に保存」するといえる。
　したがって、本願発明と刊行物１発明とは、「前記画像データを記憶部に保存」する点で一致する。
　　
（３）構成要件Ｃと刊行物１発明における「プリントサーバ３０と認証サーバはネットワークに接続され、認証サーバにより認証されたＭＦＰ１０Ａにおけるログインユーザが要求した、機密印刷データをＭＦＰ１０Ａに送信し、　ユーザが、機密印刷データにアクセス終了した場合、ＭＦＰ１０Ａ上のアクセス履歴が更新され、プリンタサーバ３０は該アクセス履歴を受信し、　該アクセス履歴に情報に基づいて、アクセス確認メールを送信元（ＰＣ２０Ａ）に送信する、ここで、アクセス確認メールには、ログインユーザの情報が含まれる」とを対比する。　
　刊行物１発明は、「プリントサーバ３０と認証サーバはネットワークに接続され、認証サーバにより認証されたＭＦＰ１０Ａにおけるログインユーザが要求した、機密印刷データをＭＦＰ１０Ａに送信」するものである。
　刊行物１発明の「ログインユーザ」は、ログインしたユーザであり、刊行物１発明は、ログインユーザが要求した機密印刷データを送信するから、「前記クライアント装置を使用するユーザが閲覧する権限を有する場合には、」機密印刷データを送信するものであって、送信するために機密印刷データを記憶部から読み込んでいるといえる。
　ここまでをまとめると、本願発明と刊行物１発明とは、「前記画像データに対してクライアント装置から閲覧要求を受信し、前記閲覧要求を受信した結果、前記クライアント装置を使用するユーザが閲覧する権限を有する場合には、前記記憶部に記憶された画像データを読込」む点で共通するが、本願発明においては、「ログイン要求」を「サーバ装置」が受信するのに対し、刊行物１発明においては「認証サーバ」が受信する点で相違する。
　さらに、刊行物１発明は、「ユーザが、機密印刷データにアクセス終了した場合、ＭＦＰ１０Ａ上のアクセス履歴が更新され、プリンタサーバ３０は該アクセス履歴を受信し、　該アクセス履歴に情報に基づいて、アクセス確認メールを送信元（ＰＣ２０Ａ）に送信する、ここで、アクセス確認メールには、ログインユーザの情報が含まれる」ものであり、「ログインユーザの情報」、「アクセス確認メール」は、それぞれ、本願発明の「前記ログイン要求で用いた前記ユーザを識別するユーザ識別情報」、「受信完了通知」に相当する。
　したがって、本願発明と刊行物１発明とは、「前記画像データの送信元の前記画像処理装置に対して、前記ログイン要求で用いた前記ユーザを識別するユーザ識別情報を含む受信完了通知を送信」する点で共通する。しかしながら、「前記画像処理装置」が、本願発明においては「前記ファクシミリ装置」であるのに対し、刊行物１発明においてはそうではない点で相違する（上記（１）と同じ相違点）。
　そして、刊行物１発明においては、「・・・機密印刷データを送信し、・・・アクセス確認メールを送信元（ＰＣ２０Ａ）に送信」するのであるから、「・・・画像データを読み込んだ後に、・・・受信完了通知を送信」するといえる。
　　
（４）構成要件Ｄと刊行物１発明における「プリントサーバ３０と認証サーバはネットワークに接続され、認証サーバにより認証されたＭＦＰ１０Ａにおけるログインユーザが要求した、機密印刷データをＭＦＰ１０Ａに送信し、　ユーザが、機密印刷データにアクセス終了した場合、ＭＦＰ１０Ａ上のアクセス履歴が更新され、プリンタサーバ３０は該アクセス履歴を受信し、　該アクセス履歴に情報に基づいて、アクセス確認メールを送信元（ＰＣ２０Ａ）に送信する、ここで、アクセス確認メールには、ログインユーザの情報が含まれる」とを対比する。
　上記（３）のとおり、刊行物１発明は、受信完了通知を送信するものである。
　また、読み込んだ画像データの内容は、クライアント装置であるＭＦＰ１０Ａに送信され、ＭＦＰ１０Ａにおいて、アクセス（表示又は印刷）されるものであるから、「読込んだ画像データの内容を、前記クライアント装置を使用するユーザに閲覧させる」といえる。
　したがって、本願発明と刊行物１発明とは、「前記受信完了通知を送信し、読込んだ画像データの内容を、前記クライアント装置を使用するユーザに閲覧させること」で共通する。
　しかしながら、本願発明においては、「前記受信完了通知を送信
すると共に
　　
（５）構成要件Ｅと刊行物１発明における「ことを特徴とするプリントサーバ３０」とを対比する。
　刊行物１発明の「プリントサーバ３０」は「サーバ装置」といえ、この点で本願発明と共通するが、「サーバ装置」が、本願発明においては「ファクシミリ受信機能を有する」のに対し、刊行物１発明においてはそうではない点で相違する。
　　
２　一致点、相違点
　以上より、本願発明と引用発明との一致点、相違点は、次のとおりである。
　　
（一致点）
　画像処理装置から送信されてきた画像データを受信し、
　前記画像データを記憶部に保存し、
　前記画像データに対してクライアント装置から閲覧要求を受信し、前記閲覧要求を受信した結果、前記クライアント装置を使用するユーザが閲覧する権限を有する場合には、前記記憶部に記憶された画像データを読込んだ後に、前記画像データの送信元の前記画像処理装置に対して、前記ログイン要求で用いた前記ユーザを識別するユーザ識別情報を含む受信完了通知を送信し、
　前記受信完了通知を送信し、読込んだ画像データの内容を、前記クライアント装置を使用するユーザに閲覧させること、
　を特徴とするサーバ装置。
　　
（相違点１）
　「画像処理装置から送信されてきた画像データを受信し、」、「前記画像処理装置に対して、」における「画像処理装置」が、本願発明においては「ファクシミリ装置」であるのに対し、刊行物１発明においてはそうではなく、
　「サーバー装置」が、本願発明においては「ファクシミリ受信機能を有する」のに対し、刊行物１発明においてはそうではない点
　　
（相違点２）
　本願発明おいては、「ログイン要求」を「サーバ装置」が受信するのに対し、刊行物１発明においては、「認証サーバ」が受信する点
　　
（相違点３）
　「前記受信完了通知を送信し、読込んだ画像データの内容を、前記クライアント装置を使用するユーザに閲覧させること」が、
　本願発明においては、「前記受信完了通知を送信
すると共に
　刊行物１発明においては、「共に」するものではない点
　　
第４　判断
１　相違点１について
　特開平６−３５０７６３号公報（以下「刊行物２」という。）には、ＬＡＮに接続されたファクシミリが記載されている。　
　画像データを受信し、記憶する技術である、刊行物１発明に、同様の技術分野といえる、刊行物２の技術を適用して、刊行物１発明において、「画像処理装置から送信されてきた画像データを受信し、」における「画像処理装置」を「ファクシミリ装置」とし、「サーバ装置」を「ファクシミリ受信機能を有する」ようにすることは、当業者が容易に想到し得ることである。
　　
２　相違点２について
　刊行物１発明においては、「認証サーバ」を用いてログインするものであり、ネットワークにログインするものと認められる。刊行物１発明においては、「ログインサーバ」及び「プリントサーバ」があり、「サーバ」が複数の機能を有することは周知の技術であるから、刊行物１発明において、「プリントサーバ」に「ログインサーバ」の機能を有するようにし、「サーバ」である「プリントサーバ」にログイン要求を受信するようにすることは、当業者が容易に想到し得ることである。
　　
３　相違点３について
　刊行物１発明は、送信元に受信完了通知を送信するものであり、この通知により、受信先にデータが届いたことを知らせるものである。受信完了通知は、閲覧と同時にする場合と閲覧後にする場合とにより、送信元に通知することに変わりはなく、クライアント装置における閲覧も変わるものではなく、刊行物１をみた当業者が、閲覧と同時に通知する、すなわち、「共に」することを容易に想到し得ると認められる。
　　
　そして、本願発明が奏する効果は、その容易想到である構成から当業者が容易に予測し得る範囲内のものであり、同範囲を超える顕著なものでもない。
　　
第５　むすび
　以上のとおり、本願の請求項１に係る発明は、刊行物１及び刊行物２に記載された発明に基づいて当業者が容易に発明をすることができたものであるから、特許法２９条２項の規定により特許を受けることができない。 
　　
　したがって、本願は、他の請求項について検討するまでもなく、拒絶すべきものである。
　　
　よって、結論のとおり審決する。